(57)【要約】【課題】表示品位を向上させつつ、多色表示が可能な表示装置および電子機器を提供する。【解決手段】本開示の表示装置は、互いに平均粒径の異なる複数種類の泳動粒子と、繊維状構造体により形成されると共に、互いに平均孔径が異なる複数の多孔質層とを備える。【選択図】図１
2017003685.tif 000002
【特許請求の範囲】
【請求項１】
互いに平均粒径の異なる複数種類の泳動粒子と、
繊維状構造体により形成されると共に、互いに平均孔径が異なる複数の多孔質層と
を備えた表示装置。
【請求項２】
表示面を有し、前記複数の多孔質層は互いに積層されており、前記表示面から背面に向かって平均孔径が小さくなっていく、請求項１に記載の表示装置。
【請求項３】
前記複数種類の泳動粒子は、互いに異なる色を有する、請求項１に記載の表示装置。
【請求項４】
前記複数の多孔質層の層数は、前記泳動粒子の種類と同数以上である、請求項１に記載の表示装置。
【請求項５】
前記複数の多孔質層は、前記表示面側から第１層および前記第１層よりも平均孔径の小さな第２層を有し、
前記第１層の厚みは、前記第２層よりも大きい、請求項２に記載の表示装置。
【請求項６】
前記複数種類の泳動粒子はそれぞれ帯電すると共に、互いに帯電量が異なる、請求項１に記載の表示装置。
【請求項７】
前記複数の多孔質層はそれぞれ帯電すると共に、互いに帯電量が異なる、請求項１に記載の表示装置。
【請求項８】
前記複数種類の泳動粒子の平均粒径は、１００ｎｍ以上２μｍ以下である、請求項１に記載の表示装置。
【請求項９】
前記複数の繊維状構造体の平均孔径は、０．１μｍ以上５μｍ以下である、請求項１に記載の表示装置。
【請求項１０】
前記繊維状構造体は静電紡糸法により形成されている、請求項１に記載の表示装置。
【請求項１１】
前記多孔質層は、前記繊維状構造体に保持された非泳動粒子を有し、
前記非泳動粒子の光反射率は前記泳動粒子の光反射率よりも高く、前記泳動粒子が暗表示、前記非泳動粒子および繊維状構造体が明表示を行う、請求項１に記載の表示装置。
【請求項１２】
前記泳動粒子および前記非泳動粒子は、有機顔料，無機顔料，染料，炭素材料，金属材料，金属酸化物，ガラスおよび高分子材料のうちの少なくともいずれか１つにより構成されている、請求項１に記載の表示装置。
【請求項１３】
前記繊維状構造体はアクリル樹脂からなる、請求項１に記載の表示装置。
【請求項１４】
前記絶縁性液体中に、前記泳動粒子を分散させる分散剤を含有する、請求項１に記載の表示装置。
【請求項１５】
表示装置を備え、
前記表示装置は、
互いに平均粒径の異なる複数種類の泳動粒子と、
繊維状構造体により形成されると共に、互いに平均孔径が異なる複数の多孔質層と
を有する電子機器。
【発明の詳細な説明】
【技術分野】
【０００１】
本開示は、電気泳動現象を利用して画像表示を行う表示装置および電子機器に関する。
【背景技術】
【０００２】
近年、携帯電話機または携帯情報端末機器（ＰＤＡ）等の多様な電子機器の普及に伴い、低消費電力で高品位画質の表示装置に関する需要が高まっている。中でも、最近では、電子書籍の配信事業の誕生に伴い、文字情報を長時間読むことを目的とした読書用途の電子書籍端末が注目されているため、その用途に適した表示品位を有する表示装置が望まれている。読書用途としては、コレステリック液晶型、電気泳動型、電気酸化還元型またはツイストボール型等の表示装置が提案されているが、中でも、反射型に分類される表示装置が好ましい。紙と同様に外光の反射（散乱）を利用して明表示するため、紙に近い表示品位が得られるからである。また、バックライトが不要であるため、消費電力が抑えられるからである。
【０００３】
反射型の表示装置の有力候補としては、電気泳動現象を利用して明暗（コントラスト）を生じさせる電気泳動型の表示装置が挙げられる。電気泳動型の表示装置の表示方法については様々な検討がなされている。具体的には、絶縁性液体中に光学的反射特性および極性が異なる２種類の荷電粒子を分散させて、その極性の違いを利用して各荷電粒子を移動させる方法が提案されている。この方法では、電界応じて２種類の荷電粒子の分布が変化するため、光学的反射特性の違いを利用してコントラストが生じる。
【０００４】
電気泳動型の表示装置では、上記のように反射光のコントラストを利用して表示を行うため、基本的にモノクロ（モノクローム）表示となるが、例えば、特許文献１では、対向する一対の基板の間に空隙を有する層を配設すると共に、それぞれ、色および粒径の異なる２種類の泳動粒子を用いた画像表示装置が開示されている。一対の基板の間に配設された層が有する空隙は、２種類の泳動粒子の一方が侵入できない大きさになっており、これによって多色表示を可能としている。
【先行技術文献】
【特許文献】
【０００５】
【特許文献１】特開２００７−２４０７５８号公報
【０００６】
しかしながら、特許文献１の画像表示装置では、表示面における複数の泳動粒子の濃度の制御方法は確立されておらず、実際に色の異なる複数の泳動粒子を用いて多色表示を行うことが困難であった。また、表示の切り替えは、泳動粒子の移動速度の差によって行われるため一定の時間を要するという問題があった。
【発明の概要】
【発明が解決しようとする課題】
【０００７】
本開示はかかる問題点に鑑みてなされたもので、その目的は、表示品位を向上させつつ、多色表示が可能な表示装置および電子機器を提供することにある。
【課題を解決するための手段】
【０００８】
本開示の表示装置は、互いに平均粒径の異なる複数種類の泳動粒子と、繊維状構造体により形成されると共に、互いに平均孔径が異なる複数の多孔質層とを備えたものである。
【０００９】
本開示の電子機器は、上記本開示の表示装置を有するものである。
【００１０】
本開示の表示装置および電子機器では、互いに平均粒径の異なる複数種類の泳動粒子と、繊維状構造体により形成されると共に、互いに平均孔径が異なる複数の多孔質層とを用いることにより、泳動粒子の移動距離が泳動粒子の粒径および多孔質層の孔径によって調整される。
【発明の効果】
【００１１】
本開示の表示装置および電子機器によれば、互いに平均粒径の異なる複数種類の泳動粒子と、互いに平均孔径が異なる複数の多孔質層とを用いることにより、泳動粒子の移動距離を泳動粒子の粒径および多孔質層の孔径によって調整するようにした。これにより、表示切り替えに要する時間を短縮することが可能となる。よって、表示品位を向上させつつ、多色表示が可能な表示装置および電子機器を提供することが可能となる。なお、ここに記載された効果は必ずしも限定されるものではなく、本開示中に記載されたいずれの効
果であってもよい。
【図面の簡単な説明】
【００１２】
【図１】本開示の一実施の形態に係る表示装置の構成を表す断面図である。
【図２】図１に示した表示装置の平面図である。
【図３Ａ】図１に示した表示装置の動作を説明する模式図である。
【図３Ｂ】図１に示した表示装置の動作を説明する模式図である。
【図４】本開示の表示装置の動作を説明する模式図である。
【図５Ａ】図１に示した表示装置におけるシアン表示を説明する概念図である。
【図５Ｂ】図５Ａに示したシアン表示時における印加電圧の波形を説明する特性図である。
【図６Ａ】図１に示した表示装置におけるマゼンダ表示を説明する概念図である。
【図６Ｂ】図６Ａに示したマゼンダ表示時における印加電圧の波形を説明する特性図である。
【図７Ａ】図１に示した表示装置における黄色表示を説明する概念図である。
【図７Ｂ】図７Ａに示した黄色表示時における印加電圧の波形を説明する特性図である。
【図８Ａ】比較例としての表示装置における黄色表示を説明する概念図である。
【図８Ｂ】図８Ａに示した黄色表示時における印加電圧の波形を説明する特性図である。
【図９】本開示の変形例に係る表示装置の構成を表す断面図である。
【図１０Ａ】図９に示した表示装置における白表示を説明する模式図である。
【図１０Ｂ】図９に示した表示装置における黒表示を説明する模式図である。
【図１０Ｃ】図９に示した表示装置における赤表示を説明する模式図である。
【図１１Ａ】本開示の表示装置を用いた電子ブックの外観を表す斜視図である。
【図１１Ｂ】図１１Ａに示した電子ブックの他の例を表す斜視図である。
【図１２】本開示の表示装置を用いたタブレットパーソナルコンピュータの外観を表す斜視図である。
【発明を実施するための形態】
【００１３】
以下、本開示における実施形態について、図面を参照して詳細に説明する。なお、説明する順序は、下記の通りである。
１．実施の形態（複数種類の粒径を有する泳動粒子および複数種類の孔径を有する多孔質層を有する表示装置）
１−１．電気泳動素子の構成
１−２．表示装置の構成
１−３．電気泳動素子の好ましい表示方法
１−４．作用・効果
２．変形例（それぞれ帯電量の異なる複数種類の泳動粒子および複数種類の多孔質層を有する表示装置）
２−１．電気泳動素子の構成
２−２．作用・効果
３．適用例（電子機器）
【００１４】
＜１．実施の形態＞
図１は、本開示の一実施の形態の表示装置（表示装置１）の断面構成を表したものである。図２は、表示装置１を構成する電気泳動素子３０の平面構成を表したものである。表示装置１は、電気泳動現象を利用してコントラストを生じさせ、画像を表示する表示装置、例えば電子ペーパーディスプレイ等の多様な電子機器に適用されるものである。この表示装置１は、例えば、スペーサ４０を介して対向配置された駆動基板１０と対向基板２０との間に、電気泳動素子３０を含む表示層を備えたものである。電気泳動素子３０は、絶縁性液体３１中に、泳動粒子３２と複数の細孔３３３を有する多孔質層３３とを含んでいる。多孔質層３３は、繊維状構造体３３１およびこの繊維状構造体３３１に保持された非泳動粒子３３２を有する。なお、図１，２は電気泳動素子３０の構成を模式的に表したものであり、実際の寸法、形状とは異なる場合がある。
【００１５】
（１−１．電気泳動素子の構成）
本実施の形態では、泳動粒子３２は、複数種類の平均粒径を有し、多孔質層３３は、複数種類の平均孔径を有する層が積層された構成を有する。
【００１６】
絶縁性液体３１は、例えば、有機溶媒等の非水溶媒のいずれか１種類または２種類以上であり、具体的には、パラフィンまたはイソパラフィン等を含んで構成されている。この絶縁性液体３１の粘度および屈折率は、出来るだけ低いことが好ましい。泳動粒子３２の移動性（応答速度）が向上すると共に、それに応じて泳動粒子３２の移動に要するエネルギー（消費電力）が低くなるからである。また、絶縁性液体３１の屈折率と多孔質層３３の屈折率との差が大きくなるため、その多孔質層３３の光反射率が高くなるからである。なお、絶縁性液体３１の代わりに、微弱導電性液体を用いてもよい。
【００１７】
なお、絶縁性液体３１は、必要に応じて各種材料を含んでいてもよい。この材料は、例えば、着色剤、電荷制御剤、分散安定剤、粘度調整剤、界面活性剤または樹脂等である。
【００１８】
泳動粒子３２は、電気的に移動可能な１または２以上の荷電粒子であり、絶縁性液体３１中に分散されている。本実施の形態における泳動粒子３２は、上記のように、複数種類の平均粒径を有すると共に、各平均粒径ごとに１または２以上の荷電粒子で構成されている。具体的には、泳動粒子３２は、後述する多孔質層３０の積層数と同数の平均粒径の種類を有し、ここでは、例えば、互いに平均粒径の異なる４種類の泳動粒子３２Ａ，３２Ｂ，３２Ｃ，３２Ｄから構成されている。
【００１９】
泳動粒子３２は、また、任意の光学的反射特性（光反射率）を有している。泳動粒子３２の光反射率は、特に限定されないが、少なくとも泳動粒子３２が多孔質層３３を遮蔽可能となるように設定されることが好ましい。泳動粒子３２の光反射率と多孔質層３３の光反射率との違いを利用してコントラストを生じさせるためである。本実施の形態では、泳動粒子３２を構成する４種類の泳動粒子３２Ａ，３２Ｂ，３２Ｃ，３２Ｄは、各平均粒径ごとに異なる色を有する。具体的には、例えば、シアン色（泳動粒子３２Ａ），マゼンダ色（泳動粒子３２Ｂ），黄色（泳動粒子３２Ｃ）および黒色（泳動粒子３２Ｄ）に着色されている。泳動粒子３２の粒径は、例えば、１００ｎｍ以上２μｍ以下の範囲であることが好ましく、泳動粒子３２Ａ，３２Ｂ，３２Ｃ，３２Ｄの平均粒径は、この範囲内で、例えば、１．２μｍ（泳動粒子３２Ａ），１μｍ（泳動粒子３２Ｂ），０．８μｍ（泳動粒子３２Ｃ），０．６μｍ（泳動粒子３２Ｄ）となっている。なお、各泳動粒子３２Ａ，３２Ｂ，３２Ｃ，３２Ｄの平均粒径は上記値に限定されるものではなく、例えば、小さい側の泳動粒子を平均粒径ａ1および粒径分散値σ1、大きい側の泳動粒子を平均粒径ａ2および粒径分散値σ2とした場合、ａ1−２σ1＞ａ2＋２σ2の関係であればよい。
【００２０】
泳動粒子３２（３２Ａ，３２Ｂ，３２Ｃ，３２Ｄ）は、絶縁性液体３１中で画素電極１４と対向電極２２との間を移動可能になっている。泳動粒子３２は、例えば、有機顔料、無機顔料、染料、炭素材料、金属材料、金属酸化物、ガラスまたは高分子材料（樹脂）等のいずれか１種類または２種類以上の粒子（粉末）である。なお、泳動粒子３２は、上記した粒子を含む樹脂固形分の粉砕粒子またはカプセル粒子等でもよい。但し、炭素材料、金属材料、金属酸化物、ガラスまたは高分子材料に該当する材料は、有機顔料、無機顔料または染料に該当する材料から除かれることとする。
【００２１】
有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料等である。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイト等である。染料は、例えば、ニグロシン系染料、アゾ系染料、フタロシアニン系染料、キノフタロン系染料、アントラキノン系染料またはメチン系染料等である。炭素材料は、例えば、カーボンブラック等である。金属材料は、例えば、金、銀または銅等である。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物等である。高分子材料は、例えば、可視光領域に光吸収域を有する官能基が導入された高分子化合物等である。このように可視光領域に光吸収域を有する高分子化合物であれば、その種類は特に限定されない。
【００２２】
泳動粒子３２（３２Ａ，３２Ｂ，３２Ｃ，３２Ｄ）の具体的な形成材料は、例えば、コントラストを生じさせるために泳動粒子３２が担う役割に応じて選択される。例えば、泳動粒子３２によって白表示がなされる場合の材料は、例えば、酸化チタン、酸化亜鉛、酸化ジルコニウム、チタン酸バリウムまたはチタン酸カリウム等の金属酸化物であり、中でも、酸化チタンが好ましい。電気化学的安定性および分散性等に優れていると共に、高い反射率が得られるからである。一方、泳動粒子３２により黒表示がなされる場合の材料は、例えば、炭素材料または金属酸化物等である。炭素材料は、例えば、カーボンブラック等であり、金属酸化物は、例えば、銅−クロム酸化物、銅−マンガン酸化物、銅−鉄−マンガン酸化物、銅−クロム−マンガン酸化物または銅−鉄−クロム酸化物等である。中でも、炭素材料が好ましい。優れた化学的安定性、移動性および光吸収性が得られるからである。
【００２３】
本実施の形態では、上記のように泳動粒子３２Ａ，３２Ｂ，３２Ｃ，３２Ｄは、それぞれ、シアン色，マゼンダ色，黄色および黒色を呈する。このうち、黒色を呈する泳動粒子３２Ｄは、上記炭素材料や金属酸化物によって形成されている。シアン色を呈する泳動粒子３２Ａ，マゼンダ色を呈する泳動粒子３２Ｂおよび黄色を呈する泳動粒子３２Ｃは、それぞれ対応する色を呈する顔料を用いて形成することができる。具体的な材料としては、例えば、キナクリドン、ペリレン、ペリノン、イソインドリノン、ジオキサジン、イソインドリン、アントラキノン、キノフタロン、ジケトピロロピロール等の多環式顔料、フタロシアニン顔料、アゾイエロレーキ、アゾレーキレッド、ピアゾロン、ジスアゾ、モノアゾ、縮合アゾ、ナフトール、ペンズイミダゾロン等のアゾ顔料、カドミウムイエロー、ストロンチウムクロメート、ビリジアン、オキサイドクロミウム、コバルト青、ウルトラマリン等の無機顔料が挙げられる。
【００２４】
絶縁性液体３１中における泳動粒子３２（３２Ａ，３２Ｂ，３２Ｃ，３２Ｄ）の含有量（濃度）は、特に限定されないが、泳動粒子３２全体では、例えば、０．１重量％〜１０重量％であることが好ましい。泳動粒子３２の遮蔽（隠蔽）性および移動性が確保されるからである。０．１重量％よりも少ないと、泳動粒子３２が多孔質層３３を遮蔽しにくくなる可能性がある。一方、１０重量％よりも多いと、泳動粒子３２の分散性が低下するため、泳動粒子３２が泳動しにくくなり、場合によっては凝集する可能性がある。各色に着色された泳動粒子３２Ａ，３２Ｂ，３２Ｃ，３２Ｄとしては、粒径にもよるが、例えば、最も粒径の大きな泳動粒子３２Ａでは、０．１重量％〜４重量％、次に大きな泳動粒子３２Ｂでは、０．１重量％〜４重量％、その次に大きな泳動粒子３２Ｃでは、０．１重量％〜４重量％、最も小さな泳動粒子３２Ｄでは、０．１重量％〜４重量％であることが好ましい。ただし、最適な重量％は期待する表示特性、色域、コントラストによってそれぞれの粒子の重量比率を変化させることが望ましい。
【００２５】
なお、泳動粒子３２は、絶縁性液体３１中で長期間に渡って分散および帯電しやすいと共に、多孔質層３３に吸着されにくいことが好ましい。このため、静電反発により泳動粒子３２を分散させるために分散剤（または電荷調整剤）を用いたり、泳動粒子３２に表面処理を施してもよく、両者を併用してもよい。
【００２６】
分散剤は、例えばLubrizol社製のSolsperseシリーズ、BYK-Chemie社製のBYK シリーズまたはAnti-Terra シリーズ、あるいはICI Americas 社製Spanシリーズ等である。
【００２７】
表面処理は、例えば、ロジン処理、界面活性剤処理、顔料誘導体処理、カップリング剤処理、グラフト重合処理またはマイクロカプセル化処理等である。中でも、グラフト重合処理、マイクロカプセル化処理またはそれらの組み合わせが好ましい。長期間の分散安定性等が得られるからである。
【００２８】
表面処理用の材料は、例えば、泳動粒子３２の表面に吸着可能な官能基と重合性官能基とを有する材料（吸着材料）等である。吸着可能な官能基の種類は、泳動粒子３２の形成材料に応じて決定される。一例を挙げると、カーボンブラック等の炭素材料に対しては４−ビニルアニリン等のアニリン誘導体であり、金属酸化物に対してはメタクリル酸３−（トリメトキシシリル）プロピル等のオルガノシラン誘導体である。重合性官能基は、例えば、ビニル基、アクリル基、メタクリル基等である。
【００２９】
また、表面処理用の材料は、例えば、重合性官能基が導入された泳動粒子３２の表面にグラフト可能な材料（グラフト性材料）である。このグラフト性材料は、重合性官能基と、絶縁性液体３１中に分散可能であると共に、立体障害により分散性を保持可能な分散用官能基とを有していることが好ましい。重合性官能基の種類は、吸着性材料について説明した場合と同様である。分散用官能基は、例えば、絶縁性液体３１がパラフィンである場合には分岐状のアルキル基等である。グラフト性材料を重合およびグラフトさせるためには、例えばアゾビスイソブチロニトリル（ＡＩＢＮ）等の重合開始剤を用いればよい。
【００３０】
参考までに、上記したように絶縁性液体３１中に泳動粒子３２を分散させる方法の詳細については、「超微粒子の分散技術とその評価〜表面処理・微粉砕と気中／液中／高分子中の分散安定化〜（サイエンス＆テクノロジー社）」等の書籍に掲載されている。
【００３１】
多孔質層３３は、例えば、図２に示したように、繊維状構造体３３１により形成された３次元立体構造物（不織布のような不規則なネットワーク構造物）である。この多孔質層３３は、繊維状構造体３３１が存在していない箇所に、泳動粒子３２が通過するための複数の隙間（細孔３３３）を有している。なお、図１では、多孔質層３３の図示を簡略化している。
【００３２】
繊維状構造体３３１は、繊維径（直径）に対して長さが十分に大きい繊維状物質である。繊維状構造体３３１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３３１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法等であることが好ましい。繊維径に対して長さが十分に大きい繊維状物質を容易且つ安定に形成しやすいからである。
【００３３】
繊維状構造体３３１の平均繊維径は、特に限定されないが、できるだけ小さいことが好ましい。光が乱反射しやすくなると共に、細孔３３３の平均孔径が大きくなるからである。但し、平均繊維径は、繊維状構造体３３１が非泳動粒子３３２を保持できるように決定される必要がある。このため、繊維状構造体３３１の平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）等を用いた顕微鏡観察により測定される。なお、繊維状構造体３３１の平均長さは、任意でよい。
【００３４】
繊維状構造体３３１には、１または２以上の非泳動粒子３３２が含まれており、その非泳動粒子３３２は、繊維状構造体３３１により保持されている。３次元立体構造物である多孔質層３３では、１本の繊維状構造体３３１がランダムに絡み合っていてもよいし、複数本の繊維状構造体３３１が集合してランダムに重なっていてもよいし、両者が混在していてもよい。繊維状構造体３３１が複数本である場合、各繊維状構造体３３１は、１または２以上の非泳動粒子３３２を保持していることが好ましい。なお、図２では、複数本の繊維状構造体３３１により多孔質層３３が形成されている場合を示している。
【００３５】
多孔質層３３が３次元立体構造物であるのは、その不規則な立体構造により外光が乱反射（多重散乱）されやすいため、多孔質層３３の光反射率が高くなると共に、その高い光反射率を得るために多孔質層３３が薄くて済むからである。これにより、コントラストが高くなると共に、泳動粒子３２を移動させるために必要なエネルギーが低くなる。また、細孔３３３の平均孔径が大きくなると共に、その数が多くなるため、泳動粒子３２が細孔３３３を通過しやすくなるからである。これにより、泳動粒子３２の移動に要する時間が短くなると共に、その泳動粒子３２の移動に要するエネルギーも低くなる。
【００３６】
繊維状構造体３３１に非泳動粒子３３２が含まれているのは、外光がより乱反射しやすくなるため、多孔質層３３の光反射率がより高くなるからである。これにより、コントラストがより高くなる。
【００３７】
本実施の形態では、多孔質層３３は、上記のように、細孔３３３の平均孔径がそれぞれ異なる複数の層によって構成されている。具体的には、多孔質層３３は、泳動粒子３２の平均粒径の種類と同数、換言すると、泳動粒子３２が呈する色の数と同数の層が積層された多層構造を有しており、ここでは、互いに平均孔径が異なる４種類の層（多孔質層３３Ａ，３３Ｂ，３３Ｃ，３３Ｄ）が積層された構成を有する。これら４種類の多孔質層３３Ａ，３３Ｂ，３３Ｃ，３３Ｄは、表示面Ｓ１側から背面Ｓ２側に向けて平均孔径が小さくなるように積層されている。
【００３８】
多孔質層３３の孔径は、特に限定されないが、一般的に、できるだけ大きいことが好ましい。泳動粒子３２が細孔３３３を通過しやすくなるからである。但し、本実施の形態では、各多孔質層３３Ａ，３３Ｂ，３３Ｃ，３３Ｄの孔径は、上述した泳動粒子３２Ａ，３２Ｂ，３２Ｃ，３２Ｄの粒径によって決定される。具体的には、図４の模式図に示したように、多孔質層３３Ａは、全ての泳動粒子３２Ａ，３２Ｂ，３２Ｃ，３２Ｄが通過できる孔径であることが好ましく、その平均孔径は、例えば、１００ｎｍ以上５μｍ以下の範囲であることが好ましい。多孔質層３３Ｂは、泳動粒子３２Ａ以外の泳動粒子３２Ｂ，３２Ｃ，３２Ｄが通過できる孔径であることが好ましく、その平均孔径は、例えば、１．１１μｍ以上１．３μｍ以下の範囲であることが好ましい。多孔質層３３Ｃは、泳動粒子３２Ａ，３２Ｂ以外の泳動粒子３２Ｃ，３２Ｄが通過できる孔径であることが好ましく、その平均孔径は、例えば、０．９１μｍ以上１．１μｍ以下の範囲であることが好ましい。多孔質層３３Ｄは、泳動粒子３２Ｄのみが通過できる孔径であればよく、その孔径は、例えば、０．７１μｍ以上０．９μｍ以下の範囲であることが好ましい。これにより、泳動粒子３２Ａ，３２Ｂ，３２Ｃ，３２Ｄの駆動基板１０と対向基板２０との間における移動距離が制御される。
【００３９】
多孔質層３３Ａ，３３Ｂ，３３Ｃ，３３Ｄの厚みは、特に限定されないが、例えば、多孔質層３３全体では、５μｍ〜１００μｍであることが好ましい。多孔質層３３の遮蔽性が高くなると共に、泳動粒子３２が細孔３３３を通過しやすくなるからである。なお、少なくも最も表示面側に配設される多孔質層３３Ａの厚みは、少なくとも、最も孔径が大きな泳動粒子３２Ａが背面Ｓ２側に移動した際に、泳動粒子３２Ａを遮蔽できる厚みであることが好ましい。また、多孔質層３３Ａ，３３Ｂ，３３Ｃ，３３Ｄは、上記範囲内であれば、全ての層が同程度の厚みとしてもよいが、表示切り替えに要する時間を考慮すると、泳動粒子３２Ａ，３２Ｂ，３２Ｃ，３２Ｄの移動距離は短い方が好ましい。これらのことから、多孔質層３３Ａ，３３Ｂ，３３Ｃ，３３Ｄの厚みは、それぞれ、以下の範囲とすることが好ましい。多孔質層３３Ａの厚みは、例えば、１０μｍ以上３０μｍ以下であることが好ましく、多孔質層３３Ｂの厚みは、例えば、２μｍ以上１５μｍ以下であることが好ましく、多孔質層３３Ｃの厚みは、例えば、２μｍ以上１５μｍ以下であることが好ましく、多孔質層３３Ｄの厚みは、例えば、２μｍ以上１５μｍ以下であることが好ましい。
【００４０】
繊維状構造体３３１を構成する材料としては、例えば、アクリル樹脂等の高分子材料または無機材料等のいずれか１種類または２種類以上を含んでおり、他の材料を含んでいてもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマー等である。無機材料は、例えば、酸化チタン等である。中でも、繊維状構造体３３１の形成材料としては、高分子材料が好ましい。反応性（光反応性等）が低い（化学的に安定である）ため、繊維状構造体３３１の意図しない分解反応が抑制されるからである。なお、繊維状構造体３３１が高反応性の材料により形成されている場合には、その繊維状構造体３３１の表面は任意の保護層により被覆されていることが好ましい。
【００４１】
特に、繊維状構造体３３１は、ナノファイバーであることが好ましい。立体構造が複雑化して外光が乱反射しやすくなるため、多孔質層３３の光反射率がより高くなると共に、多孔質層３３の単位体積中に占める細孔３３３の体積の割合が大きくなるため、泳動粒子３２が細孔３３３を通過しやすくなるからである。これにより、コントラストがより高くなると共に、泳動粒子３２の移動に要するエネルギーがより低くなる。ナノファイバーとは、繊維径が０．００１μｍ〜０．１μｍであると共に、長さが繊維径の１００倍以上である繊維状物質である。ナノファイバーである繊維状構造体３３１は、高分子材料を用いて静電紡糸法により形成されていることが好ましい。繊維径が小さい繊維状構造体３３１を容易且つ安定に形成しやすいからである。
【００４２】
この繊維状構造体３３１は、泳動粒子３２Ａ，３２Ｂ，３２Ｃ，３２Ｄとは異なる光学的反射特性を有していることが好ましい。具体的には、繊維状構造体３３１の光反射率は、特に限定されないが、少なくとも多孔質層３３が全体として泳動粒子３２を遮蔽可能となるように設定されることが好ましい。上記したように、泳動粒子３２の光反射率と多孔質層３３の光反射率との違いを利用してコントラストを生じさせるためである。これに伴い、絶縁性液体３１中で光透過性（無色透明）を有する繊維状構造体３３１が好ましくない。但し、繊維状構造体３３１の光反射率が多孔質層３３全体の光反射率にほとんど影響を及ぼさず、その多孔質層３３全体の光反射率が実質的に非泳動粒子３３２の光反射率により決定される場合には、繊維上構造体３３１の光反射率は任意でよい。
【００４３】
非泳動粒子３３２は、繊維状構造体３３１に固定されており、電気的に泳動しない粒子である。この非泳動粒子３３２の形成材料は、例えば、泳動粒子３２の形成材料と同様であり、後述するように、非泳動粒子３３２が担う役割に応じて選択される。
【００４４】
なお、非泳動粒子３３２は、繊維状構造体３３１により保持されていれば、繊維状構造体３３１から部分的に露出していてもよいし、その内部に埋設されていてもよい。
【００４５】
この非泳動粒子３３２は、泳動粒子３２Ａ，３２Ｂ，３２Ｃ，３２Ｄとは異なる光学的反射特性を有している。非泳動粒子３３２の光反射率は、特に限定されないが、少なくとも多孔質層３３が全体として泳動粒子３２を遮蔽可能となるように設定されることが好ましい。上記したように、泳動粒子３２の光反射率と多孔質層３３の光反射率との違いを利用してコントラストを表示させるためである。
【００４６】
ここで、非泳動粒子３３２の具体的な形成材料は、例えば、コントラストを生じさせるために非泳動粒子３３２が担う役割に応じて選択される。具体的には、泳動粒子３２Ａ，３２Ｂ，３２Ｃ，３２Ｄが、それぞれ、シアン，マゼンダ，黄および黒の４色表示を担う場合には、非泳動粒子３３２は、例えば、白表示を担うことが好ましい。この場合には、上記泳動粒子３２が白表示を行う場合に挙げた材料を用いることが好ましい。具体的には、金属酸化物が好ましく、酸化チタンがより好ましい。電気化学的安定性および定着性等に優れていると共に、高い反射率が得られるからである。コントラストを生じさせることができれば、非泳動粒子３３２の形成材料は、泳動粒子３２の形成材料と同じ材料でもよいし、違う材料でもよい。
【００４７】
スペーサ４０は、例えば、高分子材料等の絶縁性材料を含んでいる。但し、スペーサ４０の構成は、特に限定されず、微粒子が混入されたシール材等でもよい。
【００４８】
スペーサ４０の形状は、特に限定されないが、泳動粒子３２の画素電極１４および対向電極２２間の移動を妨げないと共に、それを均一分布させることができる形状であることが好ましく、例えば、格子状である。また、スペーサ４０の厚さは、特に限定されないが、中でも、消費電力を低くするためにできるだけ薄いことが好ましく、例えば、１０μｍ〜１００μｍである。なお、図１では、スペーサ４０の構成を簡略化して示している。
【００４９】
（１−２．表示装置の構成）
表示装置１は、上記のように、スペーサ４０を介して一対の基板、駆動基板１０と対向基板２０とが対向配置されており、その間に表示層を備えたものである。
【００５０】
駆動基板１０は、例えば、支持部材１１の一面に、薄膜トランジスタ（ＴＦＴ）１２、保護膜１３および画素電極１４がこの順に積層されたものである。ＴＦＴ１２および画素電極１４は、例えば、アクティブマトリクス方式の駆動回路を構築するために、画素配置に応じてマトリクス状に分割形成されている。
【００５１】
支持部材１１は、例えば、無機材料、金属材料またはプラスチック材料等のいずれか１種類または２種類以上により形成されている。無機材料は、例えば、ケイ素（Ｓｉ）、酸化ケイ素（ＳｉＯx）、窒化ケイ素（ＳｉＮx）または酸化アルミニウム（ＡｌＯx）等であり、その酸化ケイ素には、例えば、ガラスまたはスピンオングラス（ＳＯＧ）等が含まれる。金属材料は、例えば、アルミニウム（Ａｌ）、ニッケル（Ｎｉ）またはステンレス等である。プラスチック材料は、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、シクロオレフィンポリマー（ＣＯＰ）、ポリイミド（ＰＩ）またはポリエーテルサルフォン（ＰＥＳ）等である。
【００５２】
この支持部材１１は、光透過性であってもよいし、非光透過性であってもよい。また、支持部材１１は、ウェハ等の剛性を有する基板であってもよいし、可撓性を有する薄層ガラスまたはフィルム等であってもよい。但し、フレキシブル（折り曲げ可能）な電子ペーパーディスプレイを実現できることから、可撓性を有する材料からなることが望ましい。
【００５３】
ＴＦＴ１２は、画素を選択するためのスイッチング用素子である。このＴＦＴ１２は、例えば、チャネル層（活性層）として、アモルファスシリコン、ポリシリコンまたは酸化物等の無機半導体層を用いた無機ＴＦＴでもよいし、ペンタセン等の有機半導体層を用いた有機ＴＦＴでもよい。ＴＦＴ１２は、例えば、保護層１３によって被覆されている。この保護層１３上には、更に、例えばポリイミド等の絶縁性材料からなる平坦化絶縁膜（図示せず）が設けられていてもよい。
【００５４】
画素電極１４は、画素毎に独立して形成されており、例えば、金（Ａｕ）、銀（Ａｇ）または銅（Ｃｕ）等の導電性材料のいずれか１種類または２種類以上を含んでいる。この画素電極１４は、ＴＦＴ１２に電気的に接続されている。なお、１つの画素電極１４に対して配置されるＴＦＴ１２の数は任意であり、１つに限らず、２つ以上でもよい。
【００５５】
接着層１５は、駆動基板１０と後述する表示層と貼り合わせるものであり、例えばアクリル系樹脂、ウレタン系樹脂またはゴムにより構成され、厚みが例えば１μｍ〜１００μｍである。なお、接着層１５には、導電性を持たせることを目的として、例えばアニオン系添加剤、カチオン系添加剤またはリチウム塩系添加剤等が添加されていてもよい。
【００５６】
対向基板２０は、支持部材２１の一面側（表示層側）に対向電極２２が設けられたものである。この他、例えば、カラーフィルタや接着層等（いずれも図示せず）が積層されていてもよい。
【００５７】
支持部材２１は、光透過性であることを除き、支持部材１１と同様の材料により構成されている。対向基板２０の上面側に画像が表示されるため、支持部材２１は光透過性である必要があるからである。この支持部材２１の厚みは、例えば１μｍ〜２５０μｍである。
【００５８】
対向電極２２は、例えば、透光性を有する導電性材料（透明導電材料）のいずれか１種類または２種類以上を含んでいる。このような導電性材料としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）等が挙げられる。この対向電極２２の厚みは、例えば０．００１μｍ〜１μｍである。なお、対向電極２２は、例えば、支持基材２１の一面に全面形成されているが、画素電極１４と同様に、例えば画素毎に分割形成されていてもよい。
【００５９】
対向基板２０側に画像を表示する場合には、対向電極２２を介して電気泳動素子３０を見ることになるため、その対向電極２２の光透過率はできるだけ高いことが好ましく、例えば、８０％以上である。また、対向電極２２の電気抵抗は、できるだけ低いことが好ましく、例えば、１００Ω／□（スクエア）以下である。
【００６０】
表示層には、例えば、画素毎に電圧制御される電気泳動素子３０が設けられている。電気泳動素子３０は、電気泳動現象を利用してコントラストを生じさせるものであり、電界に応じて画素電極１４と対向電極２２との間を移動可能な泳動粒子３２を含んでいる。電気泳動素子３０は、例えば、絶縁性液体３１中に泳動粒子３２と共に、多孔質層３３を含んでおり、ここでは、絶縁性液体３１および多孔質層３３は各画素に共通して設けられている。
【００６１】
表示装置１は、例えば、以下のように製造される。まず、支持部材２１の一面に対向電極２２を、各種成膜法等の既存の方法を用いて設け、対向基板２０を形成する。次に、対向電極２２上にスペーサ４０を形成する。スペーサ４０は、例えば、以下のようなインプリント法により形成することができる。まず、スペーサ４０の構成材料（例えば、感光性樹脂材料）を含む溶液を対向電極２２上に塗布する。次いで、塗布面に凹部を有する型を押し当て、感光させた後、型を外す。これにより、柱状のスペーサ４０が形成される。
【００６２】
続いて、隣り合うスペーサ４０の間、即ち、セル３４内に多孔質層３３を配設する。多孔質層３３は、以下の工程を経て形成される。まず、有機溶剤等に繊維状構造体３３１の形成材料（例えば、高分子材料等）を分散または溶解させて紡糸溶液を調製する。続いて、紡糸溶液に非泳動粒子３３２を加えたのち、十分に攪拌して非泳動粒子３３２を紡糸溶液中に分散させる。次に、この紡糸溶液を用いて、例えば、静電紡糸法により紡糸を行う。これにより、繊維状構造体３３１により非泳動粒子３３２が保持された多孔質層３３が形成される。なお、多孔質層３３の孔径は、紡糸溶液の粘度や、非泳動粒子３３２の粒径および静電紡糸時におけるスキャン速度を制御することによって制御される。例えば、多孔質層３３Ａでは、厚み圧縮量を０％〜１０％、多孔質層３３Ｂでは1０％〜２０％、多孔質層３３Ｃでは、２０％〜３０％、多孔質層３３Ｄでは３０％〜４０％の条件を用いて多孔質膜を圧縮することにより、上記平均孔径の範囲を有する多孔質層３３Ａ，３３Ｂ，３３Ｃ，３３Ｄが形成される。なお、繊維状構造体３３１は、静電紡糸法に代えて、相分離法、相反転法、溶融紡糸法、湿式紡糸法、乾式紡糸法、ゲル紡糸法、ゾルゲル法およびスプレー塗布法等によって形成してもよい。
【００６３】
続いて、多孔質層３３が配置された対向基板２０に、泳動粒子３２Ａ，３２Ｂ，３２Ｃ，３２Ｄを分散させた絶縁性液体３１を塗布したのち、これを、例えば、封止剤（図示せず）を介してシール層１６が配設された剥離部材（図示せず）を対向させる。最後に、剥離部材を剥がしたのち、シール層１６上に粘着層１５を介してＴＦＴ１２および画素電極１４等が形成された駆動基板１０を固定する。以上の工程により、表示装置１が完成する。
【００６４】
（１−３．電気泳動素子の好ましい表示方法）
電気泳動素子３０では、上記したように、泳動粒子３２の光反射率と、多孔質層３３の光反射率との違いを利用してコントラストを生じる。
【００６５】
図３Ａおよび図３Ｂは、電気泳動素子３０の表示動作を説明するための模式図である。なお、ここではわかりやすくするために、多孔質層３３を単層として示すと共に、多孔質層３３と駆動基板１０および対向基板２０との間に、泳動粒子３２が配置される領域（待機領域Ｒ１および表示領域Ｒ２）を示した。また、最も粒径の小さな泳動粒子３２Ｄを例に説明する。
【００６６】
初期状態の電気泳動素子３０では、例えば、泳動粒子３２Ｄは待機領域Ｒ１に配置されている（図３Ａ）。この場合には、全ての画素で泳動粒子３２Ｄが多孔質層３３により遮蔽されているため、対向基板２０側から電気泳動素子３０を見ると、コントラストが生じていない（画像が表示されていない）状態にある。
【００６７】
一方、ＴＦＴ１２により画素が選択され、画素電極１４と対向電極２２との間に電界が印加されると、図３Ｂに示したように、画素毎に泳動粒子３２Ｄが待機領域Ｒ１から多孔質層３３の細孔３３３を経由して表示領域Ｒ２に移動する。この場合には、泳動粒子３２が多孔質層３３により遮蔽されている画素と遮蔽されていない画素とが併存するため、対向基板２０側から電気泳動素子３０を見ると、コントラストが生じている状態になる。これにより、画像が表示される。
【００６８】
なお、駆動基板１０には、上記電気泳動素子３０を画素毎に駆動する（画素電極１４および対向電極２２間に駆動電圧を印加する）ための周辺回路（図示せず）が設けられている。周辺回路は、例えば、アクティブマトリクス方式の駆動回路を形成するための電圧制御用のドライバ、電源およびメモリ等を含んでおり、１または２以上の選択的なサブピクセルに対して画像信号に対応する駆動電圧を印加可能となっている。
【００６９】
本実施の形態の電気泳動素子３０は、上記のように、絶縁性液体３１中に、複数種類の平均粒径を有する共に、その平均粒径ごとに色分けされた泳動粒子３２Ａ，３２Ｂ，３２Ｃ，３２Ｄと、それぞれ平均孔径が異なる細孔３３３を有する多孔質層３３Ａ，３３Ｂ，３３Ｃ，３３Ｄとを含んでいる。
【００７０】
図４は、表示装置１の動作を説明する模式図である。図１および図４に示したように、多孔質層３３は、表示面Ｓ１側から平均孔径の大きな順、ここでは、表示面Ｓ１側から多孔質層３３Ａ，多孔質層３３Ｂ，多孔質層３３Ｃ，多孔質層３３Ｄの順に積層されている。これら多孔質層３３Ａ，３３Ｂ，３３Ｃ，３３Ｄの平均孔径は、泳動粒子３２Ａ，３２Ｂ，３２Ｃ，３２Ｄによって決定される。即ち、多孔質層３３Ａの孔径は、全ての泳動粒子３２Ａ，３２Ｂ，３２Ｃ，３２Ｄが通過できる大きさに、多孔質層３３Ｂの孔径は、泳動粒子３２Ａは通過できないが、泳動粒子３２Ｂ，３２Ｃ，３２Ｄは通過可能な大きさに、多孔質層３３Ｃは、泳動粒子３２Ａ，３２Ｂは通過できないが、泳動粒子３２Ｃ，３２Ｄは通過できる大きさに、多孔質層３３Ｄは、泳動粒子３２Ａ，３２Ｂ，３２Ｃは通過できないが、泳動粒子３２Ｄは通過できる大きさに、それぞれ形成されている。これにより、画素電極１４と対向電極２２との間に電界を印加した際に、泳動粒子３２Ａ，３２Ｂ，３２Ｃ，３２Ｄを、それぞれ異なる位置に留まらせることが可能となる。
【００７１】
図５Ａ〜７Ｂは、表示装置１の表示動作を説明するための泳動粒子３２Ａ，３２Ｂ，３２Ｃ，３２Ｄの移動を表す概念図（図５Ａ，図６Ａ，図７Ａ）および印加電圧の波形（図５Ｂ，図６Ｂ，図７Ｂ）を表したものである。泳動粒子３２Ａ，３２Ｂ，３２Ｃ，３２Ｄは、それぞれ、シアン色（泳動粒子３２Ａ），マゼンダ色（泳動粒子３２Ｂ），黄色（泳動粒子３２Ｃ）および黒色（泳動粒子３２Ｄ）に着色されているものとする。以下に、シアン表示、マゼンダ表示、黄表示する際の泳動粒子３２Ａ，３２Ｂ，３２Ｃ，３２Ｄの移動および印加電圧の波形についてこの順に説明する。
【００７２】
まず、シアン表示について説明する。本実施の形態の電気泳動素子３０では、上述したように、初期状態（画素電極１４と対向電極２２との間に電圧無印加の状態）では、泳動粒子３２Ａ，３２Ｂ，３２Ｃ，３２Ｄは、待機領域Ｒ１に局在する。具体的には、泳動粒子３２Ａ，３２Ｂ，３２Ｃ，３２Ｄが、それぞれ通過可能な多孔質層３３Ａ，３３Ｂ，３３Ｃ，３３Ｄの背面Ｓ２側に配置されている（図５Ａの時間０）。このとき、表示色は、多孔質層３３の色、即ち、白色となる。ここで、画素電極１４と対向電極２２との間に、例えば、正の電圧を印加すると、泳動粒子３２Ａ，３２Ｂ，３２Ｃ，３２Ｄは、それぞれ表示面Ｓ１側に移動する。このとき、図５Ｂに示したように、正の電圧を一定時間印加したのち停止すると、図５Ａに示したように、泳動粒子３２Ａは多孔質層３３の最表面に、泳動粒子３２Ｂ、３２Ｃ，３２Ｄは、多孔質層３３中に配置された状態となる。即ち、この電気泳動素子３０を備えた画素の表示色は、シアン色となる。
【００７３】
次に、マゼンダ表示について説明する。例えば、正の電圧をシアン表示時よりも長く印加したのち負の電圧を一定時間印加し停止すると、表示面Ｓ１側には、マゼンダ色に着色された泳動粒子３２Ｂが配置され、泳動粒子３２Ａ，３２Ｃ，３２Ｄは多孔質層３３中に配置された状態となる。詳細には、図６Ｂに示したように、シアン表示時よりも正の電圧を長時間印加することによって、図６Ａに示したように、初期状態において泳動粒子３２Ａよりも背面Ｓ２側に位置する泳動粒子３２Ｂが表示面Ｓ１に移動する。この後、負の電圧を印加することによって、泳動粒子３２Ｂよりも移動速度の大きな泳動粒子３２Ａが泳動粒子３２Ｂよりも背面Ｓ２側に移動する。ここで、電圧の印加を停止することによって、泳動粒子３２Ｂは多孔質層３３の最表面に、泳動粒子３２Ａおよび他の泳動粒子３２Ｃ，３２Ｄは多孔質層３３中に配置される。即ち、この電気泳動素子３０を備えた画素の表示色は、マゼンダ色となる。
【００７４】
次に、黄表示について説明する。例えば、正の電圧をマゼンダ表示時よりも長く印加したのち負の電圧をマゼンダ表示時よりも長時間印加し停止すると、表示面Ｓ１側には、黄色に着色された泳動粒子３２Ｃが配置され、泳動粒子３２Ａ，３２Ｂ，３２Ｄは多孔質層３３中に配置された状態となる。詳細には、図７Ａに示したように、マゼンダ表示時よりも正の電圧を長時間印加することによって、図７Ｂに示したように、初期状態において泳動粒子３２Ａ，３２Ｂよりも背面Ｓ２側に位置した泳動粒子３２Ｃが表示面Ｓ１に移動する。この後、負の電圧を印加すると、泳動粒子３２Ａ，３２Ｂ，３２Ｃ，３２Ｄは背面Ｓ２側に移動を始める。このとき、泳動粒子３２Ａ，３２Ｂは、泳動粒子３２Ｃよりも移動速度の大きいため、泳動粒子３２Ｃよりも先に背面Ｓ２側に移動する。ここで、電圧の印加を停止することによって、泳動粒子３２Ｃは多孔質層３３の最表面に、泳動粒子３２Ａ，３２Ｂ，３２Ｄは多孔質層３３中に配置される。即ち、この電気泳動素子３０を備えた画素の表示色は、黄色となる。
【００７５】
なお、図示していないが、電気泳動素子３０を備えた画素の表示色を黒色とする場合には、例えば、正の電圧を黄色表示時よりも長く印加したのち負の電圧を黄色表示時よりも長時間印加したのち停止することによって、多孔質層３３の最表面に黒色に着色された泳動粒子３２Ｄが、多孔質層３３中に泳動粒子３２Ａ，３２Ｂ，３２Ｃが配置された状態となる。これにより、この電気泳動素子３０を備えた画素の表示色は、黒色となる。
【００７６】
以上のように、電気泳動素子３０は、印加電圧の向き（正／負）および印加時間を制御することで、多色、ここでは、シアン色，マゼンダ色，黄色，黒色および白色の５色表示が可能となる。
【００７７】
（１−４．作用・効果）
前述したように、電気泳動型の表示装置において多色表示を行う方法として、色および粒径の異なる複数の泳動粒子を用いた表示装置が開示されている（例えば、特許文献１）。しかしながら、この表示装置では、各色の泳動粒子の移動速度の差のみで表示色を制御するため、表示色の切り替えに一定の時間を要した。
【００７８】
図８Ａおよび図８Ｂは、比較例としての電気泳動素子における泳動粒子の移動を表す概念図（図８Ａ）および印加電圧の波形図（図８Ｂ）である。この電気泳動素子は、特許文献１に記載の表示装置が備えた電気泳動素子のように、各色の泳動粒子の移動速度の差のみで表示色を制御するものである。ここでは、この電気泳動素子は、本実施の形態と同様に４種類の泳動粒子１３２Ａ，１３２Ｂ，１３２Ｃ，１３２Ｄを有するものとする。また、各泳動粒子１３２Ａ，１３２Ｂ，１３２Ｃ，１３２Ｄの粒径の大きさおよび呈する色は、それぞれ、本実施の形態の泳動粒子３２Ａ，３２Ｂ，３２Ｃ，３２Ｄに準ずるものとする。
【００７９】
この電気泳動素子を備えた画素を、例えば、黄表示にさせるためには、図８Ａおよび図８Ｂに示したように、例えば、正の電圧を印加して、少なくとも、背面Ｓ２００に配置された黄色の泳動粒子１３２Ｃを表示面Ｓ１００に移動させる必要がある。この電気泳動素子は、初期状態では、泳動粒子１３２Ａ，１３２Ｂ，１３２Ｃ，１３２Ｄは、全て背面Ｓ２００に局在する。このため、黄色の泳動粒子１３２Ｃを表示面Ｓ１００に移動させるために要する時間は、本実施の形態の電気泳動素子３０よりも長い時間を要する（図８Ａ，図８Ｂ参照）。また、その後、負の電圧を印加して表示面Ｓ１００に移動した泳動粒子１３２Ａ，１３２Ｂ，１３２Ｃのうち、泳動粒子１３２Ｃのみを表示面Ｓ１００に配置するために要する時間も、電気泳動素子３０よりも長い時間を要する。
【００８０】
このように、泳動粒子の移動速度の差のみで多色表示を行おうとすると、短時間で表示色の切り替えを行うことは難しかった。また、表示面において、複数色の泳動粒子の濃度を制御する方法が確立されていなかったため、実際に、このような構成の電気泳動素子を用いて、表示面に複数の色を同時に表示可能な表示装置を実現することは困難であった。
【００８１】
この他、多色表示が可能な反射型の表示装置としては、カラーフィルタを設けた表示装置が挙げられ。しかしながら、カラーフィルタを設けた場合には、カラーフィルタを設けることによる反射率の低下およびカラーフィルタによる反射光の吸収等により、コントラストおよび輝度が大幅に低下してしまうという虞があった。
【００８２】
これに対して、本実施の形態の表示装置１では、泳動粒子３２として、互いに平均粒径が異なると共に、平均粒径ごとに異なる色に着色された４種類の泳動粒子３２Ａ，３２Ｂ，３２Ｃ，３２Ｄを用いるようにした。また、多孔質層３３を、細孔３３３の平均孔径が互いに異なる４種類の多孔質層３３Ａ，３３Ｂ，３３Ｃ，３３Ｄを、表示面Ｓ１側から背面Ｓ２側にかけて平均孔径が小さくなる順に積層した。これにより、各色の泳動粒子３２Ａ，３２Ｂ，３２Ｃ，３２Ｄの移動距離がその粒径および多孔質層３２Ａ，３２Ｂ，３２Ｃ，３２Ｄの孔径によって制限される。即ち、泳動粒子３２Ａ，３２Ｂ，３２Ｃ，３２Ｄは、例えば、初期状態において、それぞれ通過可能な多孔質層３３Ａ，３３Ｂ，３３Ｃ，３３Ｄの背面Ｓ２側に局在するようになり、電圧印加時における泳動粒子３２Ａ，３２Ｂ，３２Ｃ，３２Ｄの移動距離が、最も粒径の小さな泳動粒子３２Ｄ以外の泳動粒子３２Ａ，３２Ｂ，３２Ｃでは短くなる。
【００８３】
以上のように、本実施の形態の表示装置１では、互いに平均粒径が異なると共に、平均粒径ごとに異なる色に着色された複数種類の泳動粒子３２、表示面Ｓ１側から背面Ｓ２側にかけて平均孔径が小さくなる順に積層される複数種類の多孔質層３３とを含む電気泳動素子３０を表示素子として用いるようにした。これにより、例えば、初期状態における泳動粒子３２（３２Ａ，３２Ｂ，３２Ｃ，３２Ｄ）の位置が、積層された多孔質層３３（３３Ａ，３３Ｂ，３３Ｃ，３３Ｄ）の孔径によって制御される。即ち、粒径の最も大きな泳動粒子３２Ａは最も表示面Ｓ１に近い位置に、粒径の最も小さな泳動粒子３２Ｄが最も表示面Ｓ１に遠い位置に配置されるようになる。よって、ある色表示を行う際に、電圧を印加することによって所望の色を呈する泳動粒子を表示面Ｓ１に配置すると共に、他の色の泳動粒子を多孔質層中に移動させて遮蔽するための選別時間を短縮することが可能となる。即ち、表示切り替えに要する時間を短縮することが可能となる。よって、表示品位を向上させつつ、多色表示が可能な表示装置１を提供することが可能となる。
【００８４】
＜２．変形例＞
以下、上記実施の形態の変形例について説明する。以降の説明において上記実施の形態と同一構成部分については同一符号を付してその説明は適宜省略する。
【００８５】
図９は、上記実施の形態の変形例に係る表示装置（表示装置２）の断面構成を表したものである。この表示装置２は、電気泳動現象を利用してコントラストを生じさせ、画像を表示する表示装置、例えば電子ペーパーディスプレイ等の多様な電子機器に適用されるものである。表示装置２は、例えば、スペーサ４０を介して対向配置された駆動基板１０と対向基板２０との間に、電気泳動素子３０を含む表示層を備えたものである。電気泳動素子４０は、絶縁性液体４１中に、泳動粒子４２と複数の細孔を有する多孔質層４３とを含んでいる。多孔質層４３は、繊維状構造体およびこの繊維状構造体に保持された非泳動粒子を有する（いずれも図示せず）。なお、図９は電気泳動素子３０の構成を模式的に表したものであり、実際の寸法、形状とは異なる場合がある。
【００８６】
（２−１．電気泳動素子の構成）
本変形例の泳動粒子４０は、泳動粒子４２として、複数種類の平均粒径、例えば、互いに平均孔径を有する泳動粒子４２Ａおよび泳動粒子４２Ｂを有する、また、多孔質層４３として、複数種類の平均孔径、例えば、互いに平均孔径の異なる多孔質層４３Ａおよび多孔質層３２を有する。本変形例では、この泳動粒子４２Ａ，４２Ｂおよび多孔質層４３Ａ，４３Ｂが、それぞれ帯電すると共に、それぞれその帯電量が異なる点が、上記実施の形態とは異なる。また、表示面Ｓ１側に孔径の小さな多孔質層４３Ａを、背面Ｓ２側に孔径の大きな多孔質層４３Ａを配設した点が上記実施の形態とは異なる。
【００８７】
絶縁性液体４１は、上記実施の形態と同様に、例えば、有機溶媒等の非水溶媒のいずれか１種類または２種類以上であり、具体的には、パラフィンまたはイソパラフィン等を含んで構成されている。この絶縁性液体４１の粘度および屈折率は、出来るだけ低いことが好ましい。泳動粒子３２の移動性（応答速度）が向上すると共に、それに応じて泳動粒子３２の移動に要するエネルギー（消費電力）が低くなるからである。また、絶縁性液体４１の屈折率と多孔質層３３の屈折率との差が大きくなるため、その多孔質層３３の光反射率が高くなるからである。なお、絶縁性液体４１の代わりに、微弱導電性液体を用いてもよい。また、絶縁性液体４１は、必要に応じて各種材料（例えば、着色剤、電荷制御剤、分散安定剤、粘度調整剤、界面活性剤または樹脂等）を含んでいてもよい。
【００８８】
泳動粒子４２は、電気的に移動可能な１または２以上の荷電粒子であり、絶縁性液体４１中に分散されている。本変形例における泳動粒子４２は、上記のように、互いに平均粒径の異なる泳動粒子４２Ａ，４２Ｂを有し、それぞれ１または２以上の荷電粒子で構成されている。更に、泳動粒子４２Ａ，４２Ｂは、異なる色に着色されている。具体的には、泳動粒子４２Ａ，４２Ｂは、例えば、赤色（泳動粒子４２Ａ）および黒色（泳動粒子４２Ｂ）に着色されている。泳動粒子４２の粒径は、例えば、０．１μｍ以上２μｍ以下の範囲であることが好ましく、泳動粒子４２Ａ，４２Ｂは、この範囲内で、例えば、０．３μｍ（泳動粒子４２Ａ），０．２μｍ（泳動粒子４２Ｂ）となっている。なお、各泳動粒子４２Ａ，４２Ｂの平均粒径は上記範囲に限定されるものではなく、例えば、平均粒径が０．１μｍ以上であれば良い。
【００８９】
泳動粒子４２Ａ，４２Ｂは、上記実施の形態における泳動粒子３２と同様に、例えば、有機顔料、無機顔料、染料、炭素材料、金属材料、金属酸化物、ガラスまたは高分子材料（樹脂）等のいずれか１種類または２種類以上の粒子（粉末）である。
【００９０】
絶縁性液体４１中における泳動粒子４２Ａ，４２Ｂの含有量（濃度）は、特に限定されないが、泳動粒子４２全体では、例えば、０．１重量％〜１０重量％であることが好ましい。泳動粒子３２の遮蔽（隠蔽）性および移動性が確保されるからである。０．１重量％よりも少ないと、泳動粒子３２が多孔質層３３を遮蔽しにくくなる可能性がある。一方、１０重量％よりも多いと、泳動粒子３２の分散性が低下するため、泳動粒子３２が泳動しにくくなり、場合によっては凝集する可能性がある。泳動粒子４２Ａ，４２Ｂは、粒径や表面修飾あるいは材質にもよるが、例えば、泳動粒子４２Ａおよび泳動粒子４２Ｂ共に、０．１重量％〜４重量％であることが好ましい。
【００９１】
本変形例における泳動粒子４２Ａ，４２Ｂは、帯電していると共に、互いに異なる帯電量を有する。この帯電量の差は、例えば、表面処理を行うことによって付加することができる。具体的には、例えば、泳動粒子４２Ａ，４２Ｂが、それぞれ負の電荷を有する場合には、例えば、異なる電荷量を有する電子吸引性を有する官能基を修飾することで帯電差を設けることができる。また、泳動粒子４２Ａ，４２Ｂが、それぞれ正の電荷を有する場合には、例えば、それぞれ異なる電荷量を有する電子供与性を有する官能基を修飾することで帯電差を設けることができる。なお、泳動粒子４２Ａ，４２Ｂの表面に修飾させる官能基の量を変えることでも帯電差を設けることができる。
【００９２】
なお、泳動粒子４２Ａおよび泳動粒子４２Ｂの帯電量は、後述する多孔質層４３Ａおよび多孔質層４３Ｂの帯電量との関係から決定される。これは、電圧印加時における泳動粒子４２Ａ，４２Ｂの移動速度に差をつけ、表示切り替えの速度のより向上させるためである。具体的には、泳動粒子４２と多孔質層４３との帯電差が小さい組み合わせの場合には、泳動粒子４２の移動度は大きくなり、帯電差が大きい組み合わせの場合には、泳動粒子４２の移動度は小さくある。また、帯電差が大きすぎると、泳動粒子４２は多孔質層４３を通り抜けることができなくなる。このことから、泳動粒子４２Ｂの帯電量は、例えば、泳動粒子４２Ａよりも粒径の小さな泳動粒子４２Ａの帯電量よりも大きいことが好ましく、泳動粒子４２Ａの帯電量は、例えば、１０ｍＶ以上５０ｍＶ以下であることが好ましく、泳動粒子４２Ｂの帯電量は、例えば、２０ｍＶ以上１００ｍＶ以下であることが好ましい。
【００９３】
多孔質層４３は、上記実施の形態と同様に、繊維状構造体により形成された３次元立体構造物（不織布のような不規則なネットワーク構造物）である。本変形例における多孔質層４３は、互いに孔径の異なる２種類の多孔質層４３Ａおよび多孔質層３２Ｂを有する。また、多孔質層４３Ａ，４３Ｂは、帯電していると共に、それぞれ異なる帯電量を有する。なお、多孔質層４３Ａ，４３Ｂの積層順は、表示面Ｓ１側に細孔の平均孔径の小さな多孔質層４３Ａが、背面Ｓ２側に細孔の平均孔径が大きな多孔質層４３Ｂが配置されている。
【００９４】
多孔質層４３を構成する材料としては、上記実施の形態において挙げた材料を用いることができる。なお、表示面Ｓ１側に配置される多孔質層４３Ａは光反射性を有していてもよいが、本変形例では、多孔質層４３Ａの孔径は、泳動粒子４２Ｂが通過できないため、透光性を有することが好ましい。その場合には、多孔質層４３Ａを構成する繊維状構造体には、光学的反射特性を付加する非泳動粒子を含まずに形成されている。背面Ｓ２側に配置される多孔質層４３Ｂは、上記実施の形態における多孔質層３３と同様に、１または２以上の非泳動粒子を含む繊維状構造体によって構成されており、泳動粒子４２Ａ，４２Ｂとは異なる光反射特性を有する。
【００９５】
多孔質層４３Ａ，４３Ｂの平均孔径は、特に限定されないが、背面Ｓ２側に配置される多孔質層４３Ｂの平均孔径は、できるだけ大きいことが好ましい。泳動粒子４２Ａ，４２Ｂが細孔を通過しやすくなるからである。このため、多孔質層４３Ｂの細孔の平均孔径は、例えば、０．１μｍ以上５μｍ以下の範囲であることが好ましい。一方、多孔質層４３Ａの細孔の平均孔径は、粒径の大きな泳動粒子４２Ｂが通過できない孔径であることが望ましい。このため、多孔質層４３Ｂの細孔の平均孔径は、例えば、０．５μｍ以上１．５μｍ以下の範囲であることが好ましい。
【００９６】
多孔質層４３Ａ，４３Ｂの厚みは、特に限定されないが、例えば、多孔質層４３全体の厚みは、例えば、５μｍ〜１００μｍであることが好ましい。多孔質層４３の遮蔽性が高くなると共に、泳動粒子４２が細孔を通過しやすくなるからである。本変形例のように、表示面Ｓ１側に、泳動粒子４２Ｂの粒径よりも小さな平均孔径を有する多孔質層４３Ａを配置する場合には、この多孔質層４３Ａの厚みは、少なくとも、泳動粒子４２Ａを遮蔽できる厚みであればよく、例えば、１０μｍ以上３０μｍ以下の範囲であることが好ましい。多孔質層４３Ｂの厚みは、泳動粒子４２Ｂを遮蔽できる厚みであればよく、例えば、２μｍ以上１５μｍ以下の範囲であることが好ましい。
【００９７】
多孔質層４３Ａ，４３Ｂは、帯電していると共に、互いに異なる帯電量を有する。多孔質層４３Ａ，４３Ｂは、例えば、無機顔料を含有することによって帯電させることができる。帯電量の差は、例えば、表面処理方法を変えることによって設けることができる。なお、多孔質層４３Ａおよび多孔質層４３Ｂの帯電量は、泳動粒子４２Ａおよび泳動粒子４２Ｂの帯電量との関係から決定される。また、表示面Ｓ１側に配置される多孔質層４３Ａの帯電量は、多孔質層４３Ｂの帯電量よりも小さいことが好ましい。泳動粒子４２Ａおよび泳動粒子４２Ｂの帯電量が、上記記載の範囲である場合には、多孔質層４３Ａおよび多孔質層４３Ｂの帯電量は、それぞれ、例えば、０ｍＶ以上５０ｍＶ以下（多孔質層４３Ａ）例えば、２０ｍＶ以上１００ｍＶ以下（多孔質層４３Ｂ）であることが好ましい。
【００９８】
（２−２．作用・効果）
以上のように、本変形例の電気泳動素子４０は、互いに平均粒径の異なる泳動粒子４２Ａ，４２Ｂと、互いに平均孔径の異なる多孔質層４３Ａ，４３Ｂとを有する。この泳動粒子４２Ａ，４２Ｂおよび多孔質層４３Ａ，４３Ｂは、帯電すると共に、互いに帯電量が異なる。具体的には、泳動粒子４２Ａよりも粒径の大きな泳動粒子４２Ｂの帯電量を大きく、多孔質層４３Ａよりも孔径の大きな多孔質層４３Ｂの帯電量を大きくするようにした。これにより、電圧印加時における泳動粒子４２Ａ，４２Ｂの移動速度の差が大きくなる。よって、表示切り替えに要する時間をさらに短縮することが可能となる。よって、表示品位のより向上した、多色表示が可能な表示装置２を提供することが可能となる。
【００９９】
なお、本変形例の表示装置２では、互いに孔径の異なる多孔質層４３Ａ，４３Ｂを、表示面Ｓ１側に孔径の小さな多孔質層４３Ａを、背面Ｓ２側に孔径の大きな多孔質層４３Ｂを配置し、粒径の異なる泳動粒子４２Ａ，４２Ｂのうち、粒径の大きな泳動粒子４２Ｂが泳動粒子４２Ａを通過できない構成としたが、上記実施の形態と同様に、表示面Ｓ１側に孔径の大きな多孔質層４３Ｂを配置するようにしてもよい。その場合には、多孔質層４３Ａは、多孔質層４３Ｂと同様の光反射特性を有することが好ましく、非泳動粒子を含んでいることが好ましい。なお、この場合には、粒径差の効果が上記実施の形態とは逆となるため、電気泳動素子４２Ａ，４２Ｂの帯電差を更に大きくすることが好ましい。例えば、泳動粒子４２Ａの帯電量１０ｍＶ以上５０ｍＶ以下（多孔質層４３Ａも同じ）に対して、泳動粒子４２Ｂの帯電量は５０ｍＶ以上２５０ｍＶ以下（多孔質層４３Ｂも同じ）とすることが望ましい。
【０１００】
また、本変形例では、泳動粒子４２Ａ，４２Ｂの粒径が互いに異なるようにしたが、互いに同じ粒径としてもよい。また、多孔質層４３Ａ，４３Ｂも互いに同じ孔径としてもよい。その場合には、泳動粒子４２Ａ，４２Ｂの帯電量およびその差、多孔質層４３Ａ，４３Ｂの帯電量およびその差は、上記範囲と同じでもよいが、例えば、２５ｍＶ以上とすることによって、泳動粒子４２Ａ，４２Ｂおよび多孔質層４３Ａ，４３Ｂの帯電量の差のみで、多色表示が可能な表示装置を実現することが可能となる。
【０１０１】
図１０Ａ，１０Ｂ，１０Ｃは、互いに同じ粒径を有する泳動粒子５２Ａ，５２Ｂおよび互いに同じ孔径を有する多孔質層５３Ａ，５３Ｂからなる電気泳動素子５０における泳動粒子５２Ａ，５２Ｂの表示動作を模式的に表したものである。この表示装置３では、泳動粒子５２Ａ，５２Ｂおよび多孔質層５３Ａ，５３Ｂはそれぞれ異なる帯電量を有する。具体的には、例えば、泳動粒子５２Ａは２５ｍＶ，泳動粒子５２Ｂは１００ｍＶに、多孔質層５３Ａは０ｍＶ，多孔質層５３Ｂは１００ｍＶに帯電しているものとする。また、泳動粒子５２Ａは赤色に、泳動粒子５２Ｂは黒色に着色されるとともに、表示面Ｓ１側に配置された多孔質層５３Ａは透光性を有するものとする。
【０１０２】
電気泳動素子５０では、図１０Ａに示したように、泳動粒子５２Ａ，５２Ｂが共に背面Ｓ２側に移動している場合には、泳動粒子５２Ａ，５２Ｂは、多孔質層５３Ｂによって遮蔽されて白表示（初期状態）となる。初期状態において、一定時間電圧を印加すると、電気泳動素子５０は、より帯電量の大きな泳動粒子５２Ｂが泳動粒子５２Ａよりも先に表示面Ｓ１に向かって移動する。但し、泳動粒子５２Ｂと多孔質層５３Ａとの電位差は大きいため、泳動粒子５２Ｂは多孔質層５３Ａを通過できず、多孔質層５３Ａと多孔質層５３Ｂの境界部分に留まる。ここで印加電圧を消去すると、図１０Ｂに示したように、泳動粒子５２Ｂは、多孔質層５３Ａと多孔質層５３Ｂの境界部分に留まったまま、泳動粒子５２Ａよりも移動速度の小さい泳動粒子５２Ｂは背面Ｓ２側（画素電極側）に戻る。これによって、電気泳動素子５０は黒表示となる。また、初期状態から黒表示時よりも長い時間電圧を印加すると、泳動粒子５２Ａおよび泳動粒子５２Ｂが共に多孔質層５３Ａと多孔質層５３Ｂの境界部分まで移動する。ここで、泳動粒子５２Ａと多孔質層５３Ａとの帯電差は比較的小さいため、泳動粒子５２Ａは、多孔質層５３Ａを通過して表示面Ｓ１に到達する。その後、印加電圧を消去すると、図１０Ｃに示したように、泳動粒子５２Ａは表示面Ｓ１に、泳動粒子５２Ｂは多孔質層５３Ａと多孔質層５３Ｂの境界部分に留まった状態となる。子によって、電気泳動素子５０は赤表示となる。
【０１０３】
＜３．適用例＞
次に、上記実施の形態の表示装置１〜３の適用例について説明する。但し、以下で説明する電子機器の構成はあくまで一例であるため、その構成は適宜変更可能である。
【０１０４】
（適用例１）
図１１Ａ，１１Ｂは、電子ブックの外観構成を表している。この電子ブックは、例えば、表示部１１０および非表示部１２０と、操作部１３０とを備えている。なお、操作部１３０は、図１１Ａに示したように非表示部１２０の前面に設けられていてもよいし、図１１Ｂに示したように上面に設けられていてもよい。表示部１１０が表示装置１（あるいは、２，３）により構成される。なお、表示装置１（あるいは、表示装置２，３）は、図１１Ａ，１１Ｂに示した電子ブックと同様の構成を有するＰＤＡ（Personal Digital Assistants）等に搭載されてもよい。
【０１０５】
（適用例２）
図１２は、タブレットパーソナルコンピュータの外観を表したものである。このタブレットパーソナルコンピュータは、例えば、タッチパネル部２１０および筐体２２０を有しており、タッチパネル部２１０が上記表示装置１（あるいは、表示装置２，３）により構成されている。
【０１０６】
また、上記実施の形態および変形例の表示装置１〜３は、電子掲示板等に適用してもよい。
【０１０７】
以上、実施の形態および変形例を挙げて説明したが、本開示内容は実施形態等で説明した態様に限定されず、種々の変形が可能である。例えば、上記実施の形態等では、互いに粒径の異なる泳動粒子３２の種類および互いに細孔３３３の孔径の異なる多孔質層３０の種類をそれぞれ同数用いて構成したが、これに限らず、異なっていてもよい。例えば、互いに細孔３３３の孔径の異なる多孔質層３０を、互いに粒径の異なる泳動粒子３２の種類より多い層数を積層するようにしてもよい。
【０１０８】
また、上記実施の形態等では、電気泳動素子３０（表示層３０）として、絶縁性液体３１、電気泳動素子３２および多孔質層３３を備えた構成を例示したが、表示層３０の構成は、このような多孔質層３３を用いたものに限定されず、電気泳動現象を利用して画素毎に光反射によるコントラスト形成が可能なものであればよい。
【０１０９】
なお、本明細書中に記載された効果はあくまで例示であって限定されるものではなく、また、他の効果があってもよい。
【０１１０】
なお、本開示は以下のような構成を取ることも可能である。
（１）互いに平均粒径の異なる複数種類の泳動粒子と、繊維状構造体により形成されると共に、互いに平均孔径が異なる複数の多孔質層とを備えた表示装置。
（２）表示面を有し、前記複数の多孔質層は互いに積層されており、前記表示面から背面に向かって平均孔径が小さくなっていく、前記（１）に記載の表示装置。
（３）前記複数種類の泳動粒子は、互いに異なる色を有する、前記（１）または（２）に記載の表示装置。
（４）前記複数の多孔質層の層数は、前記泳動粒子の種類と同数以上である、前記（１）乃至（３）のいずれかに記載の表示装置。
（５）前記複数の多孔質層は、前記表示面側から第１層および前記第１層よりも平均孔径の小さな第２層を有し、前記第１層の厚みは、前記第２層よりも大きい、前記（２）乃至（４）のいずれかに記載の表示装置。
（６）前記複数種類の泳動粒子はそれぞれ帯電すると共に、互いに帯電量が異なる、前記（１）乃至（５）のいずれかに記載の表示装置。
（７）前記複数の多孔質層はそれぞれ帯電すると共に、互いに帯電量が異なる、前記（１）乃至（６）のいずれかに記載の表示装置。
（８）前記複数種類の泳動粒子の平均粒径は、１００ｎｍ以上２μｍ以下である、前記（１）乃至（７）のいずれかに記載の表示装置。
（９）前記複数の繊維状構造体の平均孔径は、０．１μｍ以上２μｍ以下である、前記（１）乃至（８）のいずれかに記載の表示装置。
（１０）前記繊維状構造体は静電紡糸法により形成されている、前記（１）乃至（９）のいずれかに記載の表示装置。
（１１）前記多孔質層は、前記繊維状構造体に保持された非泳動粒子を有し、前記非泳動粒子の光反射率は前記泳動粒子の光反射率よりも高く、前記泳動粒子が暗表示、前記非泳動粒子および繊維状構造体が明表示を行う、前記（１）乃至（１０）のいずれかに記載の表示装置。
（１２）前記泳動粒子および前記非泳動粒子は、有機顔料，無機顔料，染料，炭素材料，金属材料，金属酸化物，ガラスおよび高分子材料のうちの少なくともいずれか１つにより構成されている、前記（１）乃至（１１）のいずれかに記載の表示装置。
（１３）前記繊維状構造体はアクリル樹脂からなる、前記（１）乃至（１２）のいずれかに記載の表示装置。
（１４）前記絶縁性液体中に、前記泳動粒子を分散させる分散剤を含有する、前記（１）乃至（１３）のいずれかに記載の表示装置。
（１５）表示装置を備え、前記表示装置は、互いに平均粒径の異なる複数種類の泳動粒子と、繊維状構造体により形成されると共に、互いに平均孔径が異なる複数の多孔質層とを有する電子機器。
【符号の説明】
【０１１１】
１，２，３…表示装置、１０…駆動基板、１１…支持部材、１２…ＴＦＴ、１３…保護層、１４…画素電極、１５…接着層、１６…シール層、２０…対向基板、２１…支持部材、２２…対向電極、３０…電気泳動素子、３１…絶縁性液体、３２（３２Ａ，３２Ｂ，３２Ｃ，３２Ｄ）…泳動粒子、３３（３３Ａ，３３Ｂ，３３Ｃ，３３Ｄ）…多孔質層、３４…セル、４０…スペーサ、３３１…繊維状構造体、３３２…非泳動粒子、３３３…細孔。
【図１】
2017003685.tif 000003
【図２】
2017003685.tif 000004
【図３Ａ】
2017003685.tif 000005
【図３Ｂ】
2017003685.tif 000006
【図４】
2017003685.tif 000007
【図５Ａ】
2017003685.tif 000008
【図５Ｂ】
2017003685.tif 000009
【図６Ａ】
2017003685.tif 000010
【図６Ｂ】
2017003685.tif 000011
【図７Ａ】
2017003685.tif 000012
【図７Ｂ】
2017003685.tif 000013
【図８Ａ】
2017003685.tif 000014
【図８Ｂ】
2017003685.tif 000015
【図９】
2017003685.tif 000016
【図１０Ａ】
2017003685.tif 000017
【図１０Ｂ】
2017003685.tif 000018
【図１０Ｃ】
2017003685.tif 000019
【図１１Ａ】
2017003685.tif 000020
【図１１Ｂ】
2017003685.tif 000021
【図１２】
2017003685.tif 000022